Podtech/llm-jp-corpus-v4-ja_patent huggingface dataset:
(57)【要約】      （修正有）【課題】建設工事現場に於いて仮設する、パイプ足場を利用して、取付け、取り外しが、簡単にできる足場用ブラケットＫＳ型を提供する。【解決手段】板状本体２の両側２ヶ所要部に単管クランプ３をボールトナットで締めて固定し、仮設足場用単管Ｐ１に取り付ける。パイプサポート４で生コンクリート圧送管Ｐをボールトナット４ｂを締め付けて固定する。これにより、従来のような大掛かりな台枠に比べると溶接不用で組立て取付、取り外しが簡単で、コストが著しく安くなる上に、搬送や保管のきわめて便利となる。【選択図】図２
0003142726.tif 000002
【実用新案登録請求の範囲】
【請求項１】
板状本体の所要部２ヶ所に仮設足場用単管に固定される、パイプクランプ本体をナットに螺合するボルトによって板材に取り付けてなる、足場用ブラケットＫＳ型。
【請求項２】
板状本体の所要部２ヶ所にパイプクランプ本体をボールトナットで取付けるときの位置ぎめと、ナットを締付けるときの回転防止のために、平行ピンを所要部２ヶ所に固着してなる請求項１記載の足場用ブラケットＫＳ型。
【請求項３】
板状本体は単一の板材からなるもので、この板材の後面側所要部にコンクリート圧送用の輸送管を固定するパイプ、サポートを２ヶ所のナットに螺合するボールトによって固定してなる請求項１記載の足場用ブラケットＫＳ型。
【考案の詳細な説明】
【技術分野】
【０００１】  本考案は建築作業現場で仮設するパイプ足場を利用して生コンクリート圧送用配管の配管サポートに関する考案である。
【背景技術】
【０００２】  従来では不等辺アングルの１辺にパイプクランプを溶接固定し、もう１辺側にＵバンド取付用ボールトの貫通長穴を設けて、Ｕバンドでコンクリート圧送用の管を固定するようにしていた完成品を使用していた。
【考案の開示】
【０００３】  上記のような取付方法では足場用ブラケットの製作費が高くつく上、現場作業が終了して取り外した後、嵩張ることから搬送や保管に不便であった。
【０００４】  本考案は上記の課題を解消すべく創出されたもので建築作業現場の短管足場を利用して現場での溶接不要で簡単に取り付けることができて、製作コストが安く搬送や保管に便利な圧送管取付足場用ブラケットＫＳ型を提供を目的とする。
【０００５】  請求項１に係る圧送管取付足場用ブラケットＫＳ型は板状本体（２）の両側の所要部２ヶ所に足場用単管（Ｐ１）に固定される、パイプクランプ（３）を（３ｂ）ボールトで取付けで、なることを特徴とする。
【０００６】  請求項２は板状本体（２）の両側所要部２ヶ所に（Ｐ２）平行ピンを固着して、パイプクランプ取付時の位置決めとナット締付時の回転防止を特徴とする。
【０００７】  請求項３は板状（２）にパイプ、サポート（４）をナット（４ｃ）に螺合するボールト（４ｄ）２ヶ所によって固定してなることを特徴とする。
【考案の効果】
【０００８】  従来のような大掛かりな台枠に比べると溶接不用で組立て取付、取り外しが簡単で、コストが著しく安くなる上に、搬送や保管のきわめて便利となる。
【０００９】  足場用ブラケットＫＳ型（図１）は板状本体（２）にパイプクランプ（３）を螺合するナット（３ｂ）で締め付け固定するので、現場でのセットが楽になった。
【考案を実施するための最良の形態】
【００１０】  以下図面に基づいて本考案の実施の形態を説明する。
〔図１〕の（ａ）（ｂ）は本考案の足場用プラケットＫＳ型を示す斜視図である。
〔図２〕は足場用単管（Ｐ１）にパイプクランプ（３）で固定される、パイプ・サポート（４）で生コンクリート圧送管（Ｐ）の固定例を示す斜視図である。【００１１】  足場用ブラケットＫＳ型（図１）は板状本体（２）にパイプ・サポート（４）を螺合するボールトナット（４ｃ）２ヶ所で締め付けて固定される。
【実施例】
【００１２】〔図２〕は本考案の実施形態を示す斜視図である。
パイプクランプ（３）による固定は足場用単管（Ｐ１）に係合させた後クランプボールト（３ａ）のナット（３ｂ）を締め付けことで保持される。【００１３】  生コンクリート圧送管（Ｐ）のセットは建設現場の打設階の足場用単管（Ｐ１）Ｐ１に本考案の図２をパイプクランプで固定する。生コンクリート圧送管（Ｐ）を１本ごとに芯が通っていることを確認してパイプサポート（４）の（４ｂ）、（４ｃ）を締め付けて固定する。
【図面の簡単な説明】
【００１４】
【図１】  本考案の足場用ブラケットＫＳ型（ａ）、（ｂ）はパイプクランプ（３）とパイプサポート（４）がボールトナットで締め付けて固着した状態を示す斜視図である。
【図２】  足場用ブラケットＫＳ型の使用状態での斜視図である。
【図３】  従来の足場用ブラケットの使用状態を示す斜視図である。
【符号の説明】
【００１５】  ２    板状本体
３    単管クランプ本体
３ａ  足場用単管締め付用ボールト
３ｂ  足場用単管締め付用ナット
３ｃ  単管クランプ取付用ナット
４    パイプ・サポート
４ａ  圧送管締め付用ボールト
４ｂ  圧送管締め付用ナット
４ｃ  板状本体にパイプサポート取付用締め付ナット
４ｄ  板状本体にパイプサポート取付用ボールト
Ｐ    生コンクリート圧送用配管
Ｐ１  足場用単管
Ｐ２  平行ピン
１１  従来型足場用ブラケット
１２  Ｕバンド
１３  Ｕバンド締め付け用ボールト
１４  Ｕバンド締め付け用ナット
１５  不等辺山型鋼
１６  Ｕバンド取り付け用ボールト挿通孔
【図１】
0003142726.tif 000003
【図２】
0003142726.tif 000004
【図３】
0003142726.tif 000005
(57)【要約】      （修正有）【課題】メモリカードの挿入、排出の操作性に影響を与えずに、メモリカードに放電していた静電気を導電性弾性部品に誘導、放電させ、メモリカードの破壊や装置の動作不良を防止する記録再生装置を提供する。【解決手段】メモリカード挿入口に導電性と弾性特性を有する部品（導電性弾性部品）を設置する。メモリカードが挿入されている時、導電性弾性部品がメモリカードより手前（操作者側）に配置されており、操作者側がメモリカードを取り出そうと帯電した指をメモリカードに近づけたときメモリカードではなく導電性弾性部品に放電を誘導させることができる。【選択図】図４
0003142729.tif 000002
【実用新案登録請求の範囲】
【請求項１】
プッシュイン，プッシュアウトの動作でメモリカードを挿入，保持、排出する機構を有するコネクタを搭載したメモリカード記録再生装置において静電気除電誘導機構を備えた構造としたことを特徴とする記録再生装置。
【考案の詳細な説明】
【技術分野】
【０００１】  本発明は耐静電気性能向上を目的とした、静電気除電誘導機構を備えた記録再生装置に関するものである。
【背景技術】
【０００２】  従来、図１及び図２に示すように記録再生装置２は、メモリカード１を挿入した際メモリカード１自体が最も手前（操作者側）に配置されていた。プッシュアウトの動作でメモリカード１を排出させる為、装置前面よりメモリカード１を飛び出させる必要があった。【０００３】  この構造の場合、メモリカード１を排出させるため（プッシュアウト操作）指をメモリカード１に近づけた際、指が静電気を帯びていた場合、図３に示すようにメモリカード１に放電してメモリカード１を破壊したり、装置の動作不良を招く可能性があった。【０００４】  又、特開２００５−７１１６７号公報には、カードスロット前面に暖簾状垂下する除電体を設けているが、カードの挿入、排出時の操作性に不便であるという問題があった。
【特許文献１】特開２００５−７１１６７号公報
【考案の開示】
【考案が解決しようとする課題】
【０００５】  そこで本考案は、メモリカードの挿入、排出の操作性に影響を与えずに、メモリカードに放電していた静電気を導電性弾性部品に誘導、放電させ、メモリカードの破壊や装置の動作不良を防止する記録再生装置を提供しようとするものである。
【課題を解決するための手段】
【０００６】  そこで本考案は、上記の課題を解決するためになされたものでプッシュイン、プッシュアウトの動作でメモリカードを挿入、保持、排出する機構を有するコネクタを搭載したメモリカード記録再生装置において静電気除電誘導機構を備えた構造としたことを特徴とする記録再生装置である。
【考案の効果】
【０００７】  メモリカードを排出するためにメモリカードに指を近づけた時、図６に示すように静電気を帯びた指でもメモリカードより手前に導電性弾性部品があるので、指の静電気は導電性弾性部品へ放電し、指は除電されメモリカードを破壊することなく、又、装置の動作不良を起こさず、安全にメモリカードを排出できる。しかも前面にメモリカードの挿入、排出時に邪魔になるような部材は無いので操作性が犠牲になることも無い。
【考案の実施例】
【０００８】  本記録再生装置２は、構成の元として、装置内部にプッシュイン−プッシュアウトの動作で挿抜可能なメモリカードコネクタ３を有し、その位置関係は図４（ａ）、図４（ｂ）で示すようにメモリカード１を挿入した際、メモリカード１が装置前面からわずかに飛び出しプッシュアウト操作が可能となる位置に配置されている。
【０００９】  本考案では、図５（ａ）、図５（ｂ）に示すようにメモリカード１が挿入されているとき、静電気は、より導電性の高い物質に放電しやすい特性を利用し、導電性弾性部品がメモリカードより手前（操作者側）に配置される構造とした。
【００１０】  導電性弾性部品４は、棒バネでできていてメモリカード１を挿入、排出する際はバネアクションで弾性変形し、メモリカード１の挿入、排出に支障をきたすものではない。図４（ａ）、図４（ｂ）に示すように、記録再生装置のメモリカード挿入口にメモリカード１をよける上下位置に棒バネなどの導電性弾性部品４を配置する。この棒バネはバネ固定側で基板のＧＮＤやフレームのＧＮＤなどに電気的に接続されている。
【００１１】  図５（ａ）、図５（ｂ）に示すように記録再生装置２にメモリカード１が挿入されている時、メモリカード１より導電性弾性部品がより前面（操作者側）に配置される位置関係にある。メモリカード１を排出する時、静電気を帯びた指が記録再生装置に接近しても図６に示すように、静電気は導電性弾性部品へ放電される。発明の別例として図７に示すように、棒バネではなくスライド可能な導電性プレート５でも可能である。
【図面の簡単な説明】
【００１２】
【図１】従来の記録再生装置を示す斜視図。
【図２】従来の記録再生装置を示す側面図。
【図３】従来の記録再生装置で静電気がメモリカードに放電される様子を表す側面図。
【図４】（ａ）は、本発明の実施例の説明をした斜視図である。（ｂ）は本発明の実施例の説明をした側面図。
【図５】（ａ）は本発明の実施例の説明図でメモリカード挿入状態を表す斜視図。（ｂ）は本発明の実施例の説明図でメモリカード挿入状態を表す側面図。
【図６】本発明の実施例の図で静電気が導電性弾性部品（棒バネ）に放電される様子を表す側面図。
【図７】本発明の実施別例の斜視図。
【符号の説明】
【００１３】１    メモリカード
２    記録再生装置
３    プッシュイン、プッシュアウトの動作でメモリカードを挿入、保持する機構を有するコネクタ
４    導電性弾性部品（棒バネ）
５    スライド可能な導電性プレート
【図１】
0003142729.tif 000003
【図２】
0003142729.tif 000004
【図３】
0003142729.tif 000005
【図４】
0003142729.tif 000006
【図５】
0003142729.tif 000007
【図６】
0003142729.tif 000008
【図７】
0003142729.tif 000009
(57)【要約】      （修正有）【課題】水上の風や波の影響を少なくし、錆や本体の軽量化などを図った水上太陽灯を提供する。【解決手段】太陽電池盤やＬＥＤ表示灯は全面３６０度の場所から警報灯は見えるよう六面体構造とし特に太陽電池盤には入射光が出来るだけ直角にあたるよう４５度の勾配に立て設置したまた風や波の影響を少なくするため本体船底面を十字Ｖ構造船底２とし一方向の波にたいして別の三方向のＶ溝構造船底の水抵抗によりより安定を保つことが出来本体の軽量と強度にはＦＲＢ製品（ガラス繊維加工）とする。【選択図】図２
0003142722.tif 000002
【実用新案登録請求の範囲】
【請求項１】
太陽電池盤と高輝度ＬＥＤ発光灯を十字型Ｖ構造船底浮器に設置した危険区域警報水上太陽灯。
【考案の詳細な説明】
【技術分野】
【０００１】  本考案は太陽電池と高輝度ＬＥＤ及び蓄電器を組み込んだ移動式水上危険区域表示灯に関する。
【背景技術】
【０００２】  従来の水上危険表示灯は大型固定式で簡単に移動設置出来る小型の物はなかつた。
【考案の開示】
【考案が解決しようとする課題】
【０００３】  高輝度ＬＥＤ表示灯の電源に太陽電池盤と蓄電池を使用し安定した電流をいかに高輝度ＬＥＤに供給するか、また水上の風や波の影響や錆問題、本体強度の強化、重量の軽減などが課題である。
【課題を解決するための手段】
【０００４】  太陽電池盤を効率よく使用するためにいろんな方向からの太陽光を受けられるように取付箇所を六角形とし、また太陽電池盤面にたいし入光角をできるだけ直角になるように平面より４５度の勾配に立てるよう太陽電池盤を設置する。【０００５】  高輝度ＬＥＤ表示灯は高輝度ＬＥＤを１０個をまとめ一灯として六面に配置して安定光源表示を行うためＬＥＤ表示電源供給に安定化電流装置を使用し太陽電池盤からの電圧は高めに蓄電池に充電する。【０００６】  本体の水面部は十字Ｖ船底型とし一方向の風や波の流れにたいし三方向の何れかのＶ船底が抵抗として働き本体の動きを安定させる。【０００７】  本体の錆や強度、重量に関してはＦＲＢ（ガラス繊維）素材加工とする。【０００８】  本体の設置にはウインチにワイヤーを巻き内蔵したイカリを下ろし海底に固定する。【０００９】  ＬＥＤ表示灯の入、切は朝・夕・曇りなどの弱い日射条件下の太陽電池盤の発電力を定電流装置が検知しＬＥＤ表示灯の入り、切りを行う。
【考案の効果】
【００１０】  本考案の水上太陽灯の本体にはＦＲＰ（ガラス樹脂）の使用により軽量と強度を行い簡単に移動設置が可能で照明灯は高輝度ＬＥＤ１０個をまとめレンズで集光し一灯とし六面に配置して全面３６０度の場所から灯光を見ることが出来また太陽電池動作のため電源の供給が無く漁船の操業、浅瀬岩礁の危険を知らせる効果がある。
【考案を実施するための最良の形態】
【実施例】
【００１１】  本考案の図面に従って説明する、（図１）は水上太陽灯外観図で（図２）は水上太陽灯外観構造部分断面図で１本体ベースは強度と軽量を行うためＦＲＢ（ガラス繊維）加工とする、本体底面２十字型Ｖ構造船底は（図３）の十字Ｖ型構造の船底方式とし一方向からの波に対しての回転に別３方向のＶ部分底面が水の抵抗として働き本体を安定する、【００１２】  発電用７太陽電池は太陽光が３６０度、どの場所からでも太陽光が入射出来るように３パネルに取り付け６角面とし入射光に出来るだけ直角になるよう４５度の角度の勾配で太陽電池パネルを３太陽電池取付部に設置した、【００１３】  警告灯５強力ＬＥＤ光源灯が全面３６０度から確認できるよう６反射ミラー板に取り付け六角面に配置した、【００１４】  ５強力ＬＥＤ光源灯・１１ＬＥＤ光源定電流装置部は１４上段床に固定し、７太陽電池・１２電池制御器・蓄電器部は１５中段床に固定し１３イカリ巻き上げウインチは１６下段床に固定する、
本考案の水上太陽灯は小型のため設置場所まで船で運び水面に浮かべイカリを下ろし設置固定すると自動的に外の朝・夕・曇りかを太陽電池の発電力を検出し動作します、強力ＬＥＤ光源灯は太陽電池と蓄電器によって動作しますので電源の供給が要らず浅瀬や岩礁の危険場所を船舶に伝え安全を守る効果がある。
【図面の簡単な説明】
【００１５】
【図１】  水上太陽灯外観図
【図２】  水上太陽灯構造部分断面図
【図３】  十字型Ｖ構造船底図
【符号の説明】
【００１６】１本体
２十字型Ｖ構造船底
３太陽電池取付部
４ドーム型強化透明カバー
５強力ＬＥＤ光源（ＬＥＤ１０個集合灯）
６反射ミラー
７太陽電池
８イカリウインチシャフト投入穴
９イカリワイヤー
１０イカリ
１１ＬＥＤ光源定電流装置器
１２電池制御器・蓄電器
１３イカリ巻上げウインチ
１４上段床（ＬＥＤ灯部
１５中段床（太陽電池部）
１６下段床（ウインチ取付部）
【図１】
0003142722.tif 000003
【図２】
0003142722.tif 000004
【図３】
0003142722.tif 000005
(57)【要約】【課題】車内の床や座席に置いた荷物を簡単に安定的に保持することができ、より安価でより利便性に優れた荷物の安定保持具を提供する。【解決手段】二種類フックを上下に有する荷物保持具をシートベルトに掛け止めし、シートベルトの適度な張力を利用して、荷物を座席又は床に置いた状態に於いて手提げ部を吊り上げ保持することにより、荷物を安定的に保持する。【選択図】図４
0003142725.tif 000002
【実用新案登録請求の範囲】
【請求項１】
車内のシートベルトに掛け止めする第一のフックを一方に、荷物の手提げ部分を掛け止めする第二のフックを他方に有して一体的に成形され、シートベルトの張力を利用して荷物を保持することを特徴とした荷物の保持具。
【請求項２】
前記第一のフックはシートベルトを保持する中空の枠を有し、シートベルト挿通口は、上下左右いずれかの枠中央部分に形成され、枠内面の延長線にないのを特徴とする請求項１記載の荷物の保持具。
【請求項３】
前記第二のフックが前方に延出していることを特徴とする請求項１〜２記載の荷物保持具。
【請求項４】
前記第二のフックが側方に延出していることを特徴とする請求項１〜２記載の荷物保持具。
【考案の詳細な説明】
【技術分野】
【０００１】  本考案はシートベルトを利用した荷物の安定保持具に関し、更に詳細にはシートベルトに取り付けて使用し、車内の床や座席に置いた買い物袋等の荷物の手提げ部分を引っ掛けシートベルトの張力によって荷物を安定的に保持し、その移動を防止するようになした荷物の安定保持具に係わる。
【技術背景】
【０００２】  車内の床や座席に買い物袋等の荷物を置いた状態で運転しているときに、急ブレーキ等で荷物が移動し荷物の破損や運転操作に支障をきたすことがあり危険である。
【０００３】  このようなことから、従来に於いても車内の荷物の安定保持具は種々出されているが、例として登録実用新案第３１３９４７９号広報で提示されている。
【考案の開示】
【考案が解決しようとする課題】
【０００４】  しかし、登録実用新案第３１３９４７９号広報で提示されているものをより安価に、より簡便にした実用的な商品が望まれる。  又、人が着座しシートベルトを使用する際に保持具を取り外さずに使用し、着脱、保管の作業を無くす事が望まれる。
【考案が解決するための手段】
【０００５】  本考案は登録実用新案第３１３９４７９号広報で提示されているものと異なり、シートベルトのタング部を使用せず、保持具をシートベルトに直接装着することにより利便性を高め、より安価で実用性に優れた荷物の安定保持具を提供するものである。
【考案の効果】
【０００６】  シートベルトのタング部を使用せず、保持具をベルトに直接装着することでベルトへの着脱を容易にし、より安価で実用的な保持具が提供できる。又、人が着座しシートベルトを使用する際に保持具を取り外さずに使用でき、常時ベルトに装着しておけるので、その都度着脱することなく、紛失も防げる。
【考案を実施するための最良の形態】
【０００７】  以下、本考案に係わるシートベルトを利用した荷物の安定保持具を実施するための最良の形態について、図面を参照して説明する。【０００８】    図１は本考案の荷物安定保持具の斜視図である。図２はシートベルトに取り付けた状態の斜視図、図３は床に置いた荷物の保持状態の斜視図、図４は座席に置いた荷物の保持状態の斜視図である。【０００９】  図中４はシートベルト挿入部分で挿入口は左右側面中央部分２、又は上下中央部分２ａのいずれかに設ける。
図中５は荷物掛け用のフック部で、前方にＵ字形に延出したもの３、又は側方に延出したもの３ａがあり、どの形状との組み合わせも可能である。【００１０】  次に、本考案の使用方法について説明する。
先ず、図３に示す荷物を床に置いた状態での保持について説明すると、荷物保持具１にシートベルト挿入口２，又は２ａよりシートベルト６を挿入しベルトに掛け止めする。そしてシートベルト６を適当な長さまで引き出し、買い物袋等７の手提げ部分７ａを荷物掛け用フック部３，又は３ａに引っ掛けるものである。これにより、荷物７は床に接触した状態において、シートベルトの張力で手提げ部分が上方に保持され、急ブレーキ等の衝撃によっても移動することなく、安定的に保持されるものである。【００１１】  次に、図４に示す荷物を座席に置いた状態での保持について説明する。この場合シートベルト６を座席のヘッドレスト後部に一旦巻き回した後に前方に垂らし、前記と同様に保持具１を荷物の手提げ部分７ａに引っ掛ける。この場合に於いて荷物７は座席に接触した状態に於いて安定的に保持される。
【図面の簡単な説明】
【００１２】
【図１】安定保持具の斜視図
【図２】保持具をシートベルトに取り付けた状態の斜視図
【図３】荷物を床に置いた状態の斜視図
【図４】荷物を座席に置いた状態の斜視図
【符号の説明】
【００１３】１  保持具
２  シートベルト挿通口
３  荷物掛け用のフック部
４  シートベルト保持部
５  荷物の手提げ部の挿入部分
６  シートベルト
７  荷物
【図１】
0003142725.tif 000003
【図２】
0003142725.tif 000004
【図３】
0003142725.tif 000005
【図４】
0003142725.tif 000006
(57)【要約】      （修正有）【課題】警音器自体にバックアップ電源、断線検出機能を持ち合わせる事で、警音器の配線を無理に引っ張ったり切断すると同時に警音器が吹鳴する盗難警報音支援装置を提供する。【解決手段】電源線Ｂにより、バックアップ電源に充電され、Ｃの断線検出線が断線を検出すると、１５のトランジスタＴＲ１、１６のトランジスタＴＲ２が不導通となり、１７のトランジスタＴＲ３が導通する。その結果バックアップ電源より音質制御回路及びタイマ回路に電流が流れ、制御電圧が警音器に印加され警報音が吹鳴する。また、切断目的で配線を切断しようとすれば、電源線ＢとＡの警音器中継線が短絡することも想定しており、想定通りになれば、直接車両バッテリーから電圧が警音器に印加され警音が吹鳴することで、盗難防止に役立つ。【選択図】図４
0003142710.tif 000002
【実用新案登録請求の範囲】
【請求項１】
警音器配線３本のうち、断線検出線を切断させると、断線検出回路が警音器に電流を流し、一定時間警音が鳴る。また、警音器配線３本同時に切断された場合であっても、バックアップ電源を内蔵しており、一定時間警音を鳴らし威嚇する盗難警報音支援装置
【請求項２】
請求項１に記載の盗難警報音支援装置において、警音器配線を切断する目的で配線を引っ張った場合、断線検出線の断線誘発カプラがはずれることで、断線を感知し一定時間警音を鳴らし威嚇する盗難警報音支援装置
【請求項３】
請求項１に記載の盗難警報音支援装置において、３本の警音器配線のうち電源線と警音器中継線は、硬質のワイヤーハーネス構造で切断が困難なため、切断に要する時間が長くなり、窃盗行為を断念させる可能性を高める盗難警報音支援装置
【請求項４】
請求項３に記載の盗難警報音支援装置において、３本の警音器配線を切断するため工具を用いて配線を切断する際、硬質ワイヤーハーネスの被覆が剥がれ電源線と警音器中継線が短絡することで、警音器に電流が流れる回路が成立し、短絡中は警音器が鳴り続ける盗難警報音支援装置。
【請求項５】
請求項１に記載の盗難警報音支援装置の警音器作動時間は、音質制御回路とタイマ回路により決定される。断線検出後５秒間連続音を鳴らし、その後は０．５秒間隔で断続音を２０秒間鳴らし、その後警報を中止する、盗難警報音支援装置
【考案の詳細な説明】
【技術分野】
【０００１】  本考案は、自動車の盗難警報装置の警音器にバックアップ電源及び断線検出回路、音質制御回路、タイマ回路を設けた、自動車警音器に関するものである。
【背景技術】
【０００２】  自動車の車上狙いや盗難被害は、従来の盗難警報装置の車両の場合、警音器が鳴らないように警音器の配線を切って窃盗行為を行う事件が、年々増加している。
【考案の開示】
【考案が解決しようとする課題】
【０００３】  従来の盗難警報装置では、構造上の弱点が窃盗行為を行う者に広く知られている。警音器自体にバックアップ電源、断線検出機能を持ち合わせる事で、警音器の配線を無理に引っ張ったり切断すると同時に警音器が吹鳴する事で、窃盗行為を断念し車両の被害を防ぐ事が目的で、車上狙いや車両盗難を困難にさせる事が出来、前述の問題点の増加に歯止めをかけるものである。
【考案が解決するための手段】
【０００４】  本考案は、警音器本体と本体への入力配線の二系統とし、警音器にバックアップ電源及び断線検出回路、音質制御回路、タイマ回路を内臓、もしくは外付けし、警音器に接続される配線のうち、警音器中継線と電源線を切断困難な硬質配線とし、断線検出線は、軟質配線で、断線検出線をはずれ易い状態で取付する事で、配線を切断したり、切断する以前に警音を吹鳴させる事と、硬質配線を切断するために工具の刃先が二本の配線の被覆を破り芯線を短絡した時に警音器を吹鳴させる機能も合わせ持ち、特殊な取り付け方法を要求せず、問題点を解決している。
【考案の効果】
【０００５】  上述の様に、本考案の盗難警報音支援装置は、警音器を改良し入力配線に加工を施したもので、本考案の装置に交換することで、窃盗行為を阻止する可能性が極めて高くなり、自動車への車上狙い、盗難事件を防止する事が出来る。
【考案を実施するための最良の形態】
【０００６】  自動車の警音器を取り外し、既存の警音器線を短く束ね、窃盗行為時に手の届かない位置に固定する。次に本考案の警音器に交換して、本考案の警音器中継線を既存の警音器線まで結線する。電源線は、バッテリープラスターミナルまで取り回し結線し、断線検出線は、警音器周辺のボデーの既設ボルトを利用して取り付ける。その際、警音器中継線と電源線には、たわみ設け、断線検出線は余裕の無い状態で結線する。３本の配線は、同軸配線とする事で既存の配線と区別がつかないようにする。
【実施例】
【０００７】  以下、添付図面に従って一実施例を説明する。１は警音器本体で、その背面に２のバックアップ電源回路、３の断線検出回路、４の音質制御回路及びタイマ回路を搭載し車両に取り付ける。Ｄは既存の警音器線で、その先にＡの警音器中継線を結線する、Ｂは電源線でバッテリープラスターミナルに繋ぎ、Ｃは断線検出線で、９、１０の断線誘発カプラ、１１の抵抗を１３の車両サポート部位に１２のアースボルトで取り付け、ＡＢＣの３本配線を８の配線保護カバーを被せて１本化して警音器に結線する。この時８の配線保護カバー終点でＡＢＣの配線が分岐するＥ部位で、ＡＢの配線に、たわみを設ける。Ｃの配線の先にある断線誘発カプラを抜け易くするために、Ｃの配線は引っ張り気味で取り付ける。【０００８】  本考案の盗難警報音支援装置は、警音器への後取付が可能であり、専用配線も既存の配線に追加して結線されるもので、本来の警音器の機能も確保しており、盗難警報装置未装着車両に取付しても一定の効果が期待できる。
【図面の簡単な説明】
【０００９】
【図１】本考案の盗難警報音支援装置の一実施例を示す全体図
【図２】側面図
【図３】背面図
【図４】等価回路図
【図５】作動表
【符号の説明】
【００１０】  １  警音器
２  バックアップ電源部
３  断線検出回路部
４  音質制御回路、タイマ回路部
５  警音器アース部
６  警音器既存の端子
７  警音器中継端子
８  配線保護カバー
９  断線誘発カプラ、オス端子
１０  断線誘発カプラ、メス端子
１１  断線検出線抵抗
１２  断線検出線アース
１３  車両サポート部
１４  等価回路中のコデンサ
１５  等価回路中のトランジスタＴＲ１
１６  等価回路中のトランジスタＴＲ２
１７  等価回路中のトランジスタＴＲ３
１８  等価回路中の抵抗
１９  等価回路中のレベルシフト用ダイオードＤ１
２０  等価回路中の逆流防止用ダイオードＤ２
Ａ  警音器中継線
Ｂ  電源線
Ｃ  断線検出線
Ｄ  既存の警音器線
Ｅ  配線分岐点
【図１】
0003142710.tif 000003
【図２】
0003142710.tif 000004
【図３】
0003142710.tif 000005
【図４】
0003142710.tif 000006
【図５】
0003142710.tif 000007
(57)【要約】      （修正有）【課題】【考案の課題】従来の傘立ての大きさ・重さの問題を解消する軽量・コンパクトな傘掛けを提供する。【解決手段】軽量な素材の使用、形状の工夫により、棚または水平な場所で縁さえあれば使用可能で、少ないスペースに収納できる傘掛け。【選択図】図１
0003142705.tif 000002
【実用新案登録請求の範囲】
【請求項１】
円形・四角形その他これに類する形状の傘掛け
【請求項２】
材質を問わずに請求項１に記載の形状の傘掛け
【考案の詳細な説明】
【技術分野】
【０００１】傘を収納する為の傘掛けに関する物である。
【背景技術】
【０００２】従来の傘置き・傘立ては床に置いて使用する物で大きくて、相応のスペースが必要で有り中には重い為、移動がしずらい物も有った。
【考案の開示】
【考案が解決しようとする課題】
【０００３】背景技術で記したように従来の大きさ・重さの問題を解消する物である。
【課題を解決するための手段】
【０００４】・軽量の素材の使用
・形状の工夫
【考案の効果】
【０００５】・棚又は水平な場所で縁さえあればどこでも使用可能。
・従来より少ないスペースに収納できる。
【考案を実施するための最良の形態】
【・・・・】
特に乾いた傘に適してる。
【実施例】
【・・・・】
下駄箱の棚・下駄箱の上・クローゼットの棚など使用範囲は広い。
0003142705.tif 000003
【図１】
0003142705.tif 000004
【図２】
0003142705.tif 000005
【手続補正書】
【提出日】平成20年4月18日(2008.4.18)
【手続補正１】
【補正対象書類名】明細書
【補正対象項目名】全文
【補正方法】変更
【補正の内容】
【考案の詳細な説明】
【技術分野】
【０００１】      傘を収納する為の傘掛けに関する物である。
【背景技術】
【０００２】      従来の傘置き・傘立ては床に置いて使用する物で大きくて、相応のスペースが必要で有り中には重い為、移動がしずらい物も有った。
【考案の開示】
【考案が解決しようとする課題】
【０００３】      背景技術で記したように従来の大きさ・重さの問題を解消する物である。
【課題を解決するための手段】
【０００４】      ・軽量の素材の使用
・形状の工夫
【考案の効果】
【０００５】      ・棚又は水平な場所で縁さえあればどこでも使用可能。
・従来より少ないスペースに収納できる。
【考案を実施するための最良の形態】
【０００６】      特に乾いた傘に適してる。
【実施例】
【０００７】      ・クローゼットの中の棚に置いて使用する。
・下駄箱の中の棚に置いて使用する。
・下駄箱の上に置いて使用する。
【図面の簡単な説明】
【０００８】
【図１】かさハングを示した平面図である。
【図２】かさハングを示した断面図である。
(57)【要約】      （修正有）【課題】消火器具格納箱を地面に設置するに際して、台座の重量によって、消火器具格納箱に安定をもたらす消火器具格納箱の据付け用台座を提供する。【解決手段】消火器具格納箱Ａの据付け用台座は、ベース２の一端の上面に立設した突壁３にてＬ字状とし、このベース２の他端の上面にアンカーボルト取付用穴４を設けて、突壁３の上面３Ａに消火器具格納箱取付け用インサート５を埋設させ、突壁３の先端に傾斜面３Ｂを形成してなるコンクリートでできた一対の設置台部材１からなり、前記一対の設置台部材１の各突壁３が空間部１０を介して対面するように前記一対の設置台部材１を並設させて各突壁３の上面３Ａを消火器具格納箱取付け面としている。【選択図】図２
0003142706.tif 000002
【実用新案登録請求の範囲】
【請求項１】
ベースの一端の上面に立設した突壁にてＬ字状とし、前記ベースの他端の上面にアンカーボルト取付用穴を設けて、前記突壁の上面に螺子部を設けて、前記突壁の先端に傾斜面を形成してなるコンクリートでできた一対の設置台部材からなり、前記一対の設置台部材の各突壁が空間部を介して対面するように前記一対の設置台部材を並設させて各突壁の上面を消火器具格納箱取付け面としたことを特徴とする消火器具格納箱設置台。
【考案の詳細な説明】
【技術分野】
【０００１】本考案は消火器を格納する格納箱をコンクリート台座へ据え付ける消火器具格納箱設置台に関する。
【背景技術】
【０００２】従来、消火器具を格納する消火器具格納箱を簡単に台座に据え付けることができて、消火器具格納箱内に進入した雨水を外部に排出し、消火器具格納箱を地面に設置するに際して、台座の重量によって、消火器具格納箱に安定をもたらす消火器具格納箱の据付け用台座消火器を格納する格納箱をコンクリート台座へ簡単に据え付ける消火器具格納箱設置台として、特許文献１に記載のようにアンカーボルト取付用穴を有する矩形状のベースと前記ベースの両端に設けた突壁とからなるコンクリートでできた消火器具格納箱の据え付け用台座がある。【０００３】
【特許文献１】実用新案登録第３１３６３２１号
【考案の開示】
【考案が解決しようとする課題】
【０００４】特許文献１に記載の台座は消火器具を格納する消火器具格納箱を簡単に台座に据え付けることができて、格納箱本体の通気性を維持促進する消火器具格納箱の据え付け台座を提供しているが、この種の台座はコンクリートブロックでできて重量物であるので、台座を地面に設置をする運搬作業が厄介である。【０００５】本考案は上記問題点を解消し、消火器具を格納する消火器具格納箱を簡単に台座に据え付けることができて、消火器具格納箱を地面に設置するに際して、台座の重量によって、消火器具格納箱に安定をもたらすとともに、運搬作業も容易な消火器具格納箱の据付け用台座を提供することを目的とする。
【課題を解決するための手段】
【０００６】本考案の台座は、ベースの一端の上面に立設した突壁にてＬ字状とし、前記ベースの他端の上面にアンカーボルト取付用穴を設けて、前記突壁の上面に雌螺子を設けて、前記突壁の先端に傾斜面を形成してなるコンクリートでできた一対の設置台部材からなり、前記一対の設置台部材の各突壁が空間部を介して対面するように前記一対の設置台部材を並設させて各突壁の上面を消火器具格納箱取付け面としたことを特徴とする。
【考案の効果】
【０００７】上記のように本考案によれば、消火器具格納箱設置台は一対の設置台部材からなるので、地面に設置をする運搬作業が容易であり、又、突壁の先端に傾斜面を形成しているので、底板に排水孔を有する消火器具格納箱にあっては、消火器具格納箱内に侵入した雨水を外部に排出するガイドとなり排水が容易となるなどの効果を奏する。
【考案を実施するための最良の形態】
【０００８】本考案の実施形態を図１から図６に基づいて以下、説明する。【０００９】図３および図６において、設置台部材１は、コンクリートでできており、直方体状のベース２とその一端の上面に立設した直方体状の突壁３とでＬ字状となっている。このベース２の他端の上面３Ｃにアンカーボルト取付用穴４が設けられている。一方、突壁３の上面３Ａには螺子部が設けられるようにインサート雌螺子５が埋設されており、突壁３の先端には傾斜面３Ｂが形成されている。この場合、インサート雌螺子５は雄螺子またはボルトでもよい。【００１０】図２において、上記のようにコンクリートでできた設置台部材１を一対用意し、設置台部材１の各突壁３が空間部１０を介して対面するように一対の設置台部材１を並設させて地面Ｅに置くことにより、各突壁３の上面３Ａを消火器具格納箱取付け面とする消火器具格納箱設置台となる。この場合、傾斜面３Ｂが形成された突壁３の先端は空間部１０を介して対面させており、傾斜面３Ｂが後述する消火器具格納箱Ａの底板８との間に空間部が形成されている。【００１１】上記のように、一対の設置台部材１を並設した構成の消火器具格納箱設置台を地面Ｅに置いて、アンカーボルト６を各アンカーボルト取付用穴４に挿入して一対の設置台部材１を地面Ｅに螺合して固定する。【００１２】次に、図１に示す消火器具格納箱Ａの底には底板８と外周に延びる枠９が設けられており、底板８には複数個の排水孔８Ａおよび螺子穴８Ｂが形成されている。地面Ｅに固定した消火器具格納箱設置台の前記消火器具格納箱取付け面に消火器具格納箱Ａを載せて、螺子７を底板８の螺子穴８Ａを介して各一対の設置台部材１のインサート雌螺子５に螺合して消火器具格納箱Ａを消火器具格納箱設置台に据え付ける。この場合、消火器具格納箱Ａの枠９は突壁３の上面を覆った状態となる。このようにして、消火器具格納箱Ａは消火器具格納箱設置台に据え付けられるので、不正な移動や転倒のおそれがない据え付け状態に保つことが可能である。この場合、消火器具格納箱Ａの底板８の下面は突壁３の傾斜面３Ｂにて形成された前記空間部により通気性を良くするとともに、底板８の排水孔８Ａから傾斜面３Ｂをガイドとして消火器具格納箱Ａにたまった水を排出しやすくしている。【００１３】又、前記一対の設置台部材１の少なくともいずれか一方に、蛍光塗料を塗布したり、反射シールを貼り付けて、夜間災害時に消火器具の設置場所を明確に知らせるようにしても良い。
【図面の簡単な説明】
【００１４】
【図１】  本考案に係る消火器具格納箱の据え付け状態を示す正面図である。
【図２】  本考案に係るアンカーボルト取り付け状態示す断面図である。
【図３】  本考案に係る消火器具格納箱設置台の設置台部材を示す平面図である。
【図４】  本考案に係る消火器具格納箱設置台に消火器具格納箱を据え付けた状態の底板部分を示す断面図である。
【図５】  本考案に係る消火器具格納箱設置台に消火器具格納箱を据え付けた状態の底板部分を示す平面図である。
【図６】  図３における消火器具格納箱設置台の設置台部材を示す斜視図である。
【符号の説明】
【００１５】    Ａ  消火器具格納箱
１  設置台部材
２  ベース
３  突壁
３Ａ  上面
３Ｂ  傾斜面
４  アンカーボルト取付用穴
【図１】
0003142706.tif 000003
【図２】
0003142706.tif 000004
【図３】
0003142706.tif 000005
【図４】
0003142706.tif 000006
【図５】
0003142706.tif 000007
【図６】
0003142706.tif 000008
(57)【要約】      （修正有）【課題】布を首輪に使用する際の、安定感の弱い点を解消する。【解決手段】布を通す穴の設けられた、帯状の土台ベルト７に布を通すことにより布が安定し、強化され、布を首輪として活用する。【選択図】図１
0003142704.tif 000002
【実用新案登録請求の範囲】
【請求項１】
布を通す数個の穴と、その穴に交互に布を通すことにより、布の色彩や質感を活かしつつ、より安定・強化させる土台となる首輪
【考案の詳細な説明】
【技術分野】
【０００１】  本思考は、首に巻く首輪に布を使用する為の土台首輪に関する。
【背景技術】
【０００２】  従来の布は柔らかい素材を使用しており、服地に使用したり、頭や首に巻くものとされていた。
【考案の開示】
【考案が解決しようとする課題】
【０００３】  しかし、これでは用途が少ない為、首に巻くものとして利用される場合もあるが、柔らかい素材なので首に巻くには強さや安定感に欠ける。
【課題を解決するための手段】
【０００４】  そこで布を通す穴の空いた帯状の土台となる首輪を考案した。
このアレンジ首輪に通す事により、布が安定・強化されるため、布を首輪として利用可能となる。
【考案の効果】
【０００５】  よって、本考案のアレンジ首輪により、布を首輪として使用する際に、安定感が増し強化されるため、首輪としての利用が可能になる。また、アレンジ首輪から布を取り外せるので、様々な種類の布を通して首輪として活かす事が出来る。
【考案を実施するための最良の形態】
【０００６】  本考案に関わるアレンジ首輪７は、図１に示すように布Ａを通す穴（例１〜６）を備えている。
【図面の簡単な説明】
【０００７】
【図１】  布を通していない状態の、本考案のアレンジ首輪である。
【図２】  本考案に関わるアレンジ首輪に、布を通した断面図である。
【図３】  本考案に関わるアレンジ首輪に、布を通した正面図である。
【符号の説明】
【０００８】  １〜６    布を通す穴
７        土台首輪
Ａ        布
【図１】
0003142704.tif 000003
【図２】
0003142704.tif 000004
【図３】
0003142704.tif 000005
(57)【要約】      （修正有）【課題】収容される液体の温度によって変わる絵柄を２重胴体構造のタンブラーに表現できるようにして、使用者の趣味感を満足させて飽きずに使用できるようにした変色可能な絵柄のタンブラーを提供する。【解決手段】外側胴体３が透明である２重胴体構造のタンブラー１であって、その内外側両胴体２，３の間隙４には、該胴体の周面に添設した状態で、示温インクによるスクリーン印刷層を備えた絵柄の変色シートＳが挿入されている構成である。【選択図】図１
0003142718.tif 000002
【実用新案登録請求の範囲】
【請求項１】
外側胴体が透明である２重胴体構造のタンブラーであって、その内外側両胴体の間隙には、該胴体の周面に添設した状態で、示温インクによるスクリーン印刷層を備えた絵柄の変色シートが挿入されていることを特徴とする変色可能な絵柄のタンブラー。
【請求項２】
外側胴体の底部は開口して、その開口は着脱自在な底蓋によって開閉可能であることを特徴とする請求項１記載の変色可能な絵柄のタンブラー。
【考案の詳細な説明】
【技術分野】
【０００１】  本考案は、胴周りに表現した絵柄の色彩を収容される液体の温度を感知して変えることができる、変色可能な絵柄のタンブラーに関する。
【考案の開示】
【考案が解決しようとする課題】
【０００２】  示温インクを練り込んだプラスチック製カップや陶器に直接転写している製品は従来より知られているが、使用者の身近に常時置いて用いるとか、携行して随時飲用する上に便利であって保温性が考慮されている２重胴構造のタンブラーでは、表現されている絵柄の色彩が温度により変わるようにしたものは見られず、興趣性が段々と薄れて来て他の絵柄のものに買い換えてしまうという無駄の生じる問題が往々にしてある。【０００３】  本考案はかかる問題を解消したものであって、その目的は色彩が温度、精しくは収容される液体の温度によって変わる絵柄を２重胴構造のタンブラーに表現できるようにして、使用者の趣味感を満足させて飽きずに使用できるようした絵柄のタンブラーを提供することにある。
【課題を解決するための手段】
【０００４】  上記目的を達成するために、本考案の特徴とする変色可能な絵柄のタンブラーは、外側胴体が透明である２重胴体構造のタンブラーであって、その内外側両胴体の間隙には、該胴体の周面に添設した状態で、示温インクによるスクリーン印刷層を備えた絵柄の変色シートが挿入されている構成である。この構成において、上記絵柄の変色シートはタンブラーの上面部或いは底部側のいずれから挿入できるようにしてもよく、例えば、底部側の場合は、外側胴体の底部は開口し、この開口部分は絵柄の変色シートを間隙に挿入した後で着脱自在な底蓋により閉塞する。【０００５】  ここで、絵柄の変色シートとは、一般的には合成紙等による基板層上にオフセット印刷等による下地印刷層が、下地印刷層上に示温インキを用いたスクリーン印刷層が、スクリーン印刷層上にポリプロピレン等によるラミネート層が順次積層されている構成のものであって、本出願人カガク印刷株式会社製の変色シートを用いることができる。因みに、示温インキは設定温度より高温になると消色（透明）し、設定温度より低温になると発色する特性を備えている。
【考案の効果】
【０００６】  示温インキの設定温度をタンブラーに収容される液体の温度に対応させておけば、胴周りに表現された絵柄の色彩はタンブラーの使用時に変化し（例えば、示温インキを４０℃の設定温度で印刷した場合、この設定温度以上の湯をタンブラーに注ぐと示温インキによるスクリーン印刷層が透明になり、オフセット印刷等による下地印刷層の絵柄が現れる。）、商品価値を一段と高め得ることは勿論、興趣性が増大して２重胴構造のタンブラーを長期間にわたって飽きずに使用できる実用的価値がある。
【考案を実施するための最良の形態】
【０００７】  以下に、本考案の実施の一形態を図面を参照して説明する。総括的に符号１で示すタンブラーは金属製の内側胴体２と透明である合成樹脂製の外側胴体３による２重胴体構造であって、その内外側両胴体２，３の間隙４には、該胴体の周面に添設するようにして、後述する示温インクを用いたスクリーン印刷層を備えた絵柄の変色シートＳが挿入されている。【０００８】  ２重胴体構造であるタンブラー１は外側胴体３の底部が開口５し、その開口５は着脱自在な底蓋６により開閉可能であって、上記絵柄の変色シートＳは開口５を通して内外側両胴体２，３の間隙４に挿入できる。この開口５に代えて、変色シートＳはタンブラー１の上部周縁側より挿入できるように実施することも可能である。内側胴体２の底部中央には底蓋６に設けた雌ねじ部６ａと螺合する雄ねじ部２ａが設けられており、底蓋６は内側胴体２の底部にねじ止めされることでタンブラー１の底部として機能する。【０００９】  なお、絵柄の変色シートＳは、図３に示すように合成紙による基板層（厚さ１１０μ）Ｓ１上にオフセット印刷等による下地印刷層（厚さ０．８５〜１．２５μ）Ｓ２が、下地印刷層Ｓ２上に示温インキを用いたスクリーン印刷層（厚さ１５μ）Ｓ３が、スクリーン印刷層Ｓ３上にポリプロピレン等によるラミネート層（厚さ１５μ）Ｓ４が順次積層されている構成のものを用いることができる。絵柄の変色シートＳは、例えば季節に対応した絵柄のものを用意して、異なる絵柄のものを随時取り替えて用いるようにすれば、タンブラーを長期間にわたって飽きずに使用する上に有効である。
【図面の簡単な説明】
【００１０】
【図１】  本考案の一実施例を一部切り欠いて示す正面図である。
【図２】  図１に示したものから底蓋を外し、絵柄の変色シートを除去して下方から見た要部の斜視図である。
【図３】  図１に示されている絵柄の変色シートの略示的断面図である。
【符号の説明】
【００１１】  １はタンブラー、２は内側胴体、３は外側胴体、４は間隙、５は開口、６は底蓋、Ｓは絵柄の変色シート、Ｓ３はスクリーン印刷層である。
【図１】
0003142718.tif 000003
【図２】
0003142718.tif 000004
【図３】
0003142718.tif 000005
(57)【要約】      （修正有）【課題】ＬＥＤ（発光ダイオード）を埋め込んだ基盤と、絶縁を施した導線を合成樹脂で半円形に筒状にモールド化することでレンズ効果が得られるため、広範囲に光を照射することが可能な蛍光灯型のＬＥＤ灯を提供する。【解決手段】ＬＥＤ（発光ダイオード）を基盤に付けて絶縁効果を施した導線を繋いだものを半円形の筒状に合成樹脂で被覆し、モールド成型することにより一体化させレンズ効果を得たものである。【選択図】図１
0003142719.tif 000002
【実用新案登録請求の範囲】
【請求項１】
ＬＥＤ（発光ダイオード）複数個をライン状に基盤に取り付けたものを合成樹脂で被覆し半円形の筒状にモールド成型し一体形成化した、蛍光灯型のＬＥＤ灯。
【請求項２】
半円形の筒状にモールド成型することで、レンズの効果が得られることにより光を拡散させ、均等に光が回る事を特徴とする請求項１に記載する蛍光灯型のＬＥＤ灯。
【請求項３】
発熱量の少ないＬＥＤ（発光ダイオード）を使用することにより、冷凍庫、冷蔵庫等のショーケースの光源として適しており、モールド成型し一体化することで構造が単一化となり、衛生面に考慮した請求項１に記載する蛍光灯型のＬＥＤ灯。
【考案の詳細な説明】
【技術分野】
【０００１】  本考案は、冷凍庫、冷蔵庫等の店舗ショーケースの照明に適した蛍光灯型のＬＥＤ灯に関するものである。
【背景技術】
【０００２】  ＬＥＤ（発光ダイオード）は発熱量が少なく、寿命も長く光量も安定しているが、一定の範囲しか照射することが出来ないため、ショーケース等の照明は、蛍光灯が使われることがほとんどで他に代わるものがなかった。【０００３】  ＬＥＤの光の拡散の為に特許文献１の例に於いては、一定の角度をつけて基盤に装着することによって広角な配光と蛍光灯と同等な照度を得られるようになっている。【０００４】  特許文献２の例に於いては、光の拡散の為に照明基盤を支持基体に回転自在に取り付ける形状になっている。【０００５】  光源としての発光体でＬＥＤが使われるようになったが、その光は直進するものがほとんどだったため、照明装置の前面にレンズを取り付けたり、複雑にカットしたガラスなどを取り付けて光を拡散する方法であった。
【特許文献１】［特許公開２００７−２８０７３９］
【特許文献２】［特許公開２００７−１２２９３３］
【考案の開示】
【考案が解決しようとする課題】
【０００６】  ＬＥＤの光を基盤に角度をつけたりせずに、光の拡散を得ることが出来ることが課題である。【０００７】  照明装置の前面に偏光ガラスなどのカバーを付けることなく、広範囲を照射出来ることが課題である。【０００８】  構造を単純化することにより、食品のショーケース等に使用するのに衛生上ふさわしいものとすることが課題である。
【考案を解決するための手段】
【０００９】  本考案は上記の課題を解決すべく、ＬＥＤを基盤に付けて絶縁を施した導線を繋いだものを半円形の筒状に合成樹脂で被覆し、モールド成型して一体化させレンズ効果を得たものである。
【考案の効果】
【００１０】  図１は本考案の形態を示す斜視図で、ＬＥＤ１と基盤２を合成樹脂３で固めＬＥＤと一体化し半円形にすることで、レンズの効果が得られ光が拡散することが可能になる。
【００１１】  図２は本考案の形状を示す断面図で、ＬＥＤ１と基盤２を合成樹脂３で固めＬＥＤと一体化し半円形にすることで、構造を単純化させることが出来たものである。
【考案を実施するための最良の形態】
【００１２】  ＬＥＤを埋め込んだ基盤と絶縁を施した導線を合成樹脂で半円形に筒状にモールド化してレンズ効果が得られる蛍光灯型のＬＥＤ灯は、広範囲に光を照射することが可能になり、その使用用途はショーケースなどの蛍光灯に代わるものとして、使用目的は広域多々に渡ることを可能にしている。【００１３】  ＬＥＤを埋め込んだ基盤と絶縁を施した導線を合成樹脂でモールド化することにより、一体化して完全防水を図った蛍光灯型のＬＥＤ灯は、ショーケースなどの照明として使用した場合、単純な構造のために清掃が簡単に出来るので衛生上好ましい形状である。
【図面の簡単な説明】
【００１４】
【図１】  本考案を示した斜視図である。
【図２】  本考案を示した断面図である。
【符号の説明】
【００１５】１  ＬＥＤ
２  基盤
３  合成樹脂部分
４  導線
【図１】
0003142719.tif 000003
【図２】
0003142719.tif 000004
(57)【要約】      （修正有）【課題】エコ対策及び経済的負担を軽減し、骨箱と仏壇の両方に共用できる仏壇を提供する。【解決手段】骨壷８が収納されている状態では骨箱の目的を果たしている。しかし、骨壷を取り出した瞬間に、仏壇として使用することができる。即ち、最初から仏壇としてのデザイン及び機能性を有していることと、大きさが骨壷に合わせたサイズであることから持ち運びが容易であり、一つの造形物が骨箱と仏壇という二つの目的を果たすことが可能になる。【選択図】図２
0003142720.tif 000002
【実用新案登録請求の範囲】
【請求項１】
骨壷を収納できるスペースを有し、納骨時までを骨箱として機能し、骨壷を取り出した後は、そのままの状態で仏壇として使用することができる仏壇
【考案の詳細な説明】
【技術分野】
【０００１】  本考案は、納骨するまでは骨壷を収納する骨箱として、納骨後は即、仏壇として使用可能な仏壇に関するものである。
【背景技術】
【０００２】  骨箱は、一定期間骨壷を保管するが、墓地等に納骨する際に骨壷は取り出され、その骨箱を覆っていた骨袋と共に処分されていた。
【考案の開示】
【考案が解決しようとする課題】
【０００３】  骨箱は一時的には必要だが、骨壷を取り出した後は不要となり、焼却ゴミとなる。焼却ゴミは地球温暖化につながり、骨箱を作るための森林伐採は自然破壊の助長につながる。また消費者にとって、短期間だけ使用する骨箱等に対する経済的負担につながる。
【課題を解決するための手段】
【０００４】  本考案は、骨壷を保管する骨箱が最初から仏壇として制作され、骨箱の機能を終えた後、仏壇としてそのまま使用できるようにすることにより、問題点を解決している。
【考案の効果】
【０００５】  上述のように、骨箱を仏壇に転用することにより、無駄な資源を節約し、エコ対策に役立つ一方、消費者の経済的負担の抑制に役立つ。
【実施例】
【０００６】  以下、添付図面に従って一実施例を説明する。１は仏壇躯体の壁面、２は仏壇屋根部分、３は仏壇底板、４は開閉扉であり、この１から４にて本仏壇の外観を成す。持ち運びを容易にするため、コンパクトな大きさにする。５の蝶番にて開閉可能である扉４を開けると、内部に骨壷８が保管されている。【０００７】  ９は仏壇内部に設けた引き出しであり、その内部には分骨用骨壷９ａ、及び本尊用台座９ｂが内蔵されている。図３は、仏壇内部に収納されていた骨壷８を取り出した状態である。【０００８】  本仏壇の付加価値を高める手段として、欄間１０を設け、その裏側に電気照明を配し、１１の配線隠し板の裏側に電気コードを通し、仏壇本体１より電気コードが外側に出て照明点灯可能にする。それにより、仏壇内部を明るくすることができる。【０００９】  本仏壇の付加価値をさらに高める工夫として、９に内蔵された９ａ分骨用骨壷はそのまま９に収納しておくことにより、分骨した遺骨を収納できる。それにより、本考案は手元供養が可能な家庭内墓地としての使用が可能になる。また９ｂは、８骨壷を取り出した後本仏壇に設置することにより、本尊や仏像を祀る台座として使用できる。【００１０】  本仏壇は、芸術性やデザイン性が高いことも特徴の一つであり、その手段として屋根部分２に彫刻を施したり、扉４に開口部を設け、ステンドグラスで創った窓７を採り入れる。【００１１】  本考案は、人間の葬祭だけでなく、ペット動物の葬祭にも適用できるものである。
【図面の簡単な説明】
【００１２】
【図１】本考案の骨箱機能を有する仏壇の一実施例を示す外部正面図である。
【図２】本仏壇の開扉時、骨壷収納時の内部正面図である。
【図３】本仏壇の機能性に関する一実施例を示すイメージ図である。
【符号の説明】
【００１３】  １  仏壇本体
２  仏壇屋根部分
３  仏壇底板部分
４  開閉扉
５  蝶番
６  扉開閉用取手
７  扉開口部のステンドグラス窓
８  骨壷
９  仏壇内部引き出し
９ａ  分骨用骨壷
９ｂ  本尊用台座
１０  仏壇内部欄間
１１  仏壇内部配線隠し板
１２  電気コード
【図１】
0003142720.tif 000003
【図２】
0003142720.tif 000004
【図３】
0003142720.tif 000005